(57)【特許請求の範囲】
【請求項１】
陳列室内に架設した棚上に商品を陳列して成るショーケースにおいて、
ＬＥＤ素子を備えたＬＥＤ照明装置と、
前記棚の前部に取り付けられ、当該棚の前端面との間に所定の間隔を存して配置された透光性の棚前欄干飾りと、
前記陳列室の前面開口を開閉自在に閉塞するガラス扉と、
該扉に交換可能に取り付けられて当該扉の外面を覆う透視可能な扉装飾カバーとを備え、
前記棚は透光性の板材にて構成され、該棚の後端面より当該棚内に前記ＬＥＤ照明装置からの光が入射されると共に、前記棚の前端面の縦断面形状は凹レンズ状とされ、当該棚の前端は、中央が前方に突出し、両側部が後退した湾曲形状とされており、
前記扉装飾カバーは、前記棚前端の湾曲形状に対応した平断面湾曲形状とされていることを特徴とするショーケース。
【請求項２】
前記棚の上面には、当該棚の前端面より後方に位置して商品の前方への移動を規制するガイドが突設されていることを特徴とする請求項１に記載のショーケース。
【請求項３】
前記ガイドは前記棚の前端形状に沿って設けられていることを特徴とする請求項２に記載のショーケース。
【請求項４】
冷却装置により前記陳列室内を冷却することを特徴とする請求項１乃至請求項３のうちの何れかに記載のショーケース。
【発明の詳細な説明】
【技術分野】
【０００１】
本発明は、陳列室内に棚を架設し、当該棚上に商品を陳列して成るショーケース、特に、当該棚の照明に関する。
【背景技術】
【０００２】
従来より、この種のショーケースは、断面略コ字状の断熱壁の開口上縁に形成した吐出口から開口下縁の吸込口に向けて冷気を吐出することにより、断熱壁にて囲繞された陳列室内は所定の温度に冷却される。そして、開口両側縁や棚前部下面などに複数の蛍光灯を取り付けて、陳列室内の照明を行っていた。
【０００３】
これ以外にも、ショーケースの陳列室内に架設される棚上商品を効果的に照明するため、当該棚自体を透明板材により構成し、棚後端側、即ち、陳列室の背面側にＬＥＤ素子を備えた照明装置を設け、これにより、棚自体を光らせるものが開発されている（例えば特許文献１参照）。
【先行技術文献】
【特許文献】
【０００４】
【特許文献１】特開２００９−５８１１号公報
【発明の概要】
【発明が解決しようとする課題】
【０００５】
上記構成では、各端面は、光拡散構造が施されているため、棚の後端面より棚内に入射された光は乱反射され、棚板の前端、上面、下面、両側端を光らせることができる。通常、棚の前端には、棚上に陳列された商品の商品名や価格等を表示する表示部が設けられることとなるが、当該表示部を光を透過しない材料にて構成すると、当該表示部のみが暗くなる。
【０００６】
そこで、表示部を透光性材料にて構成することが考えられるが、ＬＥＤ素子から照射される光は指向性が高いため、棚板の前端から放射される光は、当該前端面の幅に限られてしまい、効果的な表示部の照明を行うことができない。
【０００７】
本発明は、従来の技術的課題を解決するためになされたものであり、棚の前部に取り付けられた棚前欄干飾りの照明効果を向上させることができるショーケースを提供する。
【課題を解決するための手段】
【０００８】
上記課題を解決するために、本発明のショーケースは、陳列室内に架設した棚上に商品を陳列して成るものであって、ＬＥＤ素子を備えたＬＥＤ照明装置と、棚の前部に取り付けられ、当該棚の前端面との間に所定の間隔を存して配置された透光性の棚前欄干飾りと、陳列室の前面開口を開閉自在に閉塞するガラス扉と、この扉に交換可能に取り付けられて当該扉の外面を覆う透視可能な扉装飾カバーとを備え、棚は透光性の板材にて構成され、該棚の後端面より当該棚内に前記ＬＥＤ照明装置からの光が入射されると共に、棚の前端面の縦断面形状は凹レンズ状とされ、当該棚の前端は、中央が前方に突出し、両側部が後退した湾曲形状とされており、扉装飾カバーは、棚前端の湾曲形状に対応した平断面湾曲形状とされていることを特徴とする。
【０００９】
請求項２の発明は、上記発明において、棚の上面には、当該棚の前端面より後方に位置して商品の前方への移動を規制するガイドが突設されていることを特徴とする。
【００１０】
請求項３の発明は、上記発明において、ガイドは棚の前端形状に沿って設けられていることを特徴とする。
【００１１】
請求項４の発明は、上記各発明において、冷却装置により陳列室内を冷却することを特徴とする。
【発明の効果】
【００１２】
本発明によれば、陳列室内に架設した棚上に商品を陳列して成るショーケースにおいて、ＬＥＤ素子を備えたＬＥＤ照明装置と、棚の前部に取り付けられ、当該棚の前端面との間に所定の間隔を存して配置された透光性の棚前欄干飾りとを備え、棚を透光性の板材にて構成し、該棚の後端面より当該棚内にＬＥＤ照明装置からの光を入射させることにより、ＬＥＤ照明装置からの光によって、棚全体を光らせて棚上の商品を照明することが可能となる。
【００１３】
また、棚の前端部から放射された光は、当該棚前端面の凹レンズ状の縦断面形状によって上下方向に拡散させることができ、当該棚前端面の前方に配置された透光性の棚前欄干飾りを後方から照明することができる。これにより、棚前端における照明効果を向上させることができる。当該棚前欄干飾りに印刷等により広告を施すことにより、当該広告効果を向上させることが可能となる。
【００１４】
特に、陳列室の前面開口を開閉自在に閉塞するガラス扉と、該扉に交換可能に取り付けられて当該扉の外面を覆う透視可能な扉装飾カバーとを更に備え、棚の前端は、中央が前方に突出し、両側部が後退した湾曲形状とされていると共に、扉装飾カバーは、棚前端の湾曲形状に対応した平断面湾曲形状とされているので、当該扉装飾カバーの平断面湾曲形状によって、陳列室内に架設された棚前端の湾曲形状をより強調した外観とすることができる。
【００１５】
請求項２の発明によれば、上記発明に加えて、棚の上面には、当該棚の前端面より後方に位置して商品の前方への移動を規制するガイドが突設されているので、棚上に陳列された商品が棚前欄干飾りまで進出してしまい、当該商品によってＬＥＤ照明装置からの光による棚前欄干飾りの照明を遮ってしまうことを効果的に防止することができる。
【００１６】
請求項３の発明によれば、上記発明に加えて、ガイドは棚の前端形状に沿って設けられているので、ガイドに沿って商品を陳列することにより、棚の湾曲形状に沿った商品陳列が可能となる。
【００１７】
請求項４の発明によれば、上記各発明に加えて、冷却装置により陳列室内を冷却することにより、陳列室内は低温となるが、棚に設けられるＬＥＤ照明装置は、蛍光灯のような低温による照度低下を生じないため、陳列室内を冷凍などの低温に冷却して使用する低温ショーケースにおいて特に有効となる。
【図面の簡単な説明】
【００１８】
【図１】本発明を適用した一実施例のショーケースの正面図である。
【図２】図１の状態から装飾カバーを取り外した状態のショーケースの斜視図である。
【図３】図１のショーケースの縦断側面図である。
【図４】複数段の棚が架設された状態を示す斜視図である。
【図５】棚支持枠に支持された状態を示す棚の平面図である。
【図６】棚を斜め下方から見た斜視図である。
【図７】棚の概略縦断側面図である。
【図８】棚のガードを示した斜視図である。
【発明を実施するための形態】
【００１９】
以下、本発明の実施の形態について、詳細に説明する。実施例の低温貯蔵庫Ｓは、飲料や食品等の商品を冷却しながら陳列販売するための所謂低温ショーケースであり、本体１を構成する縦長矩形状の断熱箱体（断熱壁）２内に前面が開口した陳列室３が構成されている。この陳列室３の前面開口は、例えば向かって右側（一側）上下を中心として回動自在に本体１に枢支された扉４により開閉自在に閉塞されている。
【００２０】
この扉４は周囲の金属製扉枠（サッシュ）６と、この扉枠６の内方に嵌め込まれた複層透明ガラス板７とから成り、このガラス板７を通して外部より陳列室３内部が透視可能とされている。また、扉４の向かって左側（非枢支側）の扉枠６には、扉４を開閉するための把手５が設けられている。
【００２１】
断熱箱体２の下側（陳列室３の外側。断熱箱体２外）である本体１の下部には機械室８が構成されており、この機械室８内に冷却装置Ｒの冷媒回路を構成する図示しない圧縮機や凝縮器９、凝縮器用送風機１０等が設置されている。尚、機械室８は前面が開口している。
【００２２】
一方、陳列室３内には、詳細は後述する如き商品陳列用の棚１１が複数段架設されている。また、断熱箱体２内の背面及び底面には、間隔を存して仕切板１２及び１３が設けられており、各仕切板１２及び１３と断熱箱体２との間に、相互に連通した背面ダクト１４及び底面ダクト１６が構成され、陳列室３はこれら仕切板１２及び１３の内側に構成されたかたちとされている。
【００２３】
また、背面の仕切板１２の上端と断熱箱体２間は背面ダクト１４に連通した冷気吹出口１７、底面の仕切板１３の前端と断熱箱体２間は底面ダクト１６に連通した冷気吸込口１８とされている。断熱箱体２の底壁には相互に前後に位置する連通孔１９、２１が貫通形成されており、連通孔１９と２１間において仕切板１３から垂下する隔壁１３Ａにより、底面ダクト１６は前後に仕切られている。
【００２４】
更に、断熱箱体２の底壁には、連通孔１９、２１に対応して断熱性の冷却箱２２が外側から取り付けられ、機械室８内に位置している。この冷却箱２２内には冷却装置Ｒの冷媒回路を構成する冷却器２３と冷気循環用送風機２４が収納されており、冷却器２３によって冷却箱２２内は連通孔１９側と連通孔２１側とに区画されている。これにより、陳列室３−冷気吸込口１８−底面ダクト１６−連通孔１９−冷気循環用送風機２４（冷却箱２２内）−冷却器２３（冷却箱２２内）−連通孔２１−底面ダクト１６−背面ダクト１４−冷気吹出口１７−陳列室３と渡る一連の冷気通路が構成されている。
【００２５】
そして、実施例では、扉４の外面に硬質合成樹脂からなる扉装飾カバー３１が取り付けられている。扉装飾カバー３１は、扉４の外面を覆うように扉枠６に交換可能（ネジ止め）に取り付けられている。この場合、扉装飾カバー３１は扉枠６の側面（外面）と当接し、当該扉枠６を前方から間隔を存して隠蔽する透視不能な枠装飾部３１Ａと、その内方でガラス板７の外面を覆うと共に、当該ガラス板７の前方に間隔を存して位置する透視可能なガラス装飾部３１Ｂとから成り、当該枠装飾部３１Ａとガラス装飾部３１Ｂとにより扉４の外面全体を覆う。
【００２６】
そして、ガラス装飾部３１Ｂは、中央が前方に突出して両端部が後退した平断面湾曲形状とされ、前方から陳列室３内を見た場合に商品陳列がより立体的に見えるように配慮されている。
【００２７】
このようにショーケースＳの扉４に扉装飾カバー３１を交換可能に取り付けているので、設置場所や使用目的、陳列商品に応じて他の形状の扉装飾カバー３１に交換することで、ショーケースＳの意匠を容易に変更することができるようになり、販売効果の著しい改善を図ることができるようになる。
【００２８】
そして、上記扉装飾カバー３１の下方に位置して機械室８の前面開口を閉塞する機械室カバー２９が本体１に着脱自在（交換可能）に取り付けられている。この場合、機械室カバー２９には、開口２９Ａが形成され、この開口２９Ａに対応して機械室カバー２９には、ルーバ３２とメッシュ部３３とを一体に備えたフィルタ３５が着脱可能に取り付けられている。尚、図２の３４は、凝縮器９の前側に対応した開口を有するグリル板であり、凝縮器用送風機１０の運転により開口２９Ａからフィルタ３５を経て吸引された外気を、効率よく凝縮器９に通風させる機能を奏する。
【００２９】
ここで、図４乃至図８を参照して上記商品陳列用の棚１１について詳述する。図４は複数段の棚１１が架設された状態を示す斜視図、図５は棚支持枠３８に支持された状態を示す棚１１の平面図、図６は棚１１を斜め下方から見た斜視図、図７は棚１１の概略縦断側面図、図８は棚１１のガードを示した斜視図をそれぞれ示している。
【００３０】
本実施例における棚１１は、透光性の板材にて構成され、陳列室３内に設けられた各支柱３６に四隅部が保持される棚支持枠３８上に載置されて陳列室３内に架設される。
【００３１】
具体的には、上述した如き陳列室１１内の両側面には、前後に位置して図４に示すような上下に延在する支柱３６が設けられている。当該支柱３６には、上下方向に所定間隔を存して複数の図示しない取付孔が形成されている。この取付孔には、棚支持枠３８を保持する取付具３７が係脱自在に係合される。
【００３２】
棚支持枠３８は、縦断面が縦長の鋼板を枠状に成形され、側辺部を複数回折曲することにより、四隅部に各取付具３７を保持する保持部が形成される。これにより、棚支持枠３８は、所定の強度を確保しつつ平断面寸法が最小限とされた支持枠とされ、棚１１の面（この場合、上面及び下面）から照射される光を極力遮蔽しない構成とされる。
【００３３】
そして、棚１１は、透光性の板材として透明な熱可塑性樹脂板、例えばアクリル樹脂、メタクリル樹脂、ポリカーボネート樹脂、ポリ塩化ビニル樹脂、非晶性ポリエステル樹脂、非晶性オレフィン系樹脂にて構成されており、導光板としての機能を奏するため、ＬＥＤ照明装置４０からの光を入射する後端面１１Ａ（光入射面）は、表面平坦な形状とされていると共に、その他の端面、即ち、前端面１１Ｂ、各側端面１１Ｃ、棚上面（及び又は棚下面）１１Ｄは、圧熱プレスにて凸状のドット加工が施された光拡散面とされている。尚、本実施例では凸状のドット加工により光拡散面を構成しているが、これに限定されるものではなく、光入射面から入射された光を乱反射させ、拡散するための構造であれば、例えば、磨りガラス形状や、複数の溝や筋、傷などによって形成しても良い。
【００３４】
また、本実施例では、棚１１の前端面１１Ｂは、縦断面形状が下端よりも上端が後退した凹レンズ状とされている（図７参照）。
【００３５】
当該棚１１の前端部には、断面略Ｌ字状の棚前欄干飾り４５が棚前端の長手方向（左右方向）に延在して取り付けられている。当該棚前欄干飾り４５の下板部４５Ａは、その後端部が棚１１の前端部下面に取り付けられ、これによって、前板部４５Ｂが前端面１１Ｂとの間に所定の間隔を存して配置される。本実施例では、棚前欄干飾り４５全体が透光性の材料にて構成されているが、前板部４５Ｂのみが透光性の材料にて構成されるものとしても良い。そして、当該棚前欄干飾り４５の前板部４５Ｂの後面（棚１１の前端面１１Ｂと対向する面）には、透光性の広告板（ＰＯＰ）４６が交換可能に嵌め込まれている。
【００３６】
そして、棚１１の後端部に設けられるＬＥＤ照明装置４０は、複数のＬＥＤ素子４１を所定間隔を存して基板４２に配設して構成されており、ＬＥＤ取付部材４３を介して棚１１の後端部の長手方向に延在して取り付けられる。尚、図中４４は、基板４２から引き出されたリード線である。本実施例においてＬＥＤ素子４１は、チップタイプの白色ＬＥＤ素子を採用している。
【００３７】
以上の構成により、ＬＥＤ照明装置４０の各ＬＥＤ素子４１に通電することにより、当該ＬＥＤ素子４１から照射された光は、棚１１の後端面１１Ａから棚１１内部に入射され（図７の実線矢印）、当該入射光は、棚１１全体を光らせつつ、棚１１の各面、前端面１１Ｂ、各側端面１１Ｃ、棚上面（及び又は棚下面）１１Ｄより光らせることが可能となる。
【００３８】
特に、棚１１の各端面は、光拡散構造が施されているため、当該端面にて入射した光が乱反射され、効果的な棚照明を実現することが可能となり、外観の向上を図ることができる。また、これによって、棚１１の商品載置面とされる棚上面に陳列される商品や、当該棚１１の下方に架設される棚１１に陳列される商品を効果的に照明することが可能となり、ショーケースＳによる陳列効果を高めることができる。
【００３９】
また、棚１１の前端面１１Ｂから放射された光は、前端面１１Ｂの凹レンズ状の縦断面形状によって上下方向に拡散される（図７参照）。当該棚の前端面１１Ｂと、棚前欄干飾り４５との間には所定の間隔が形成されているため、凹レンズ状の縦断面形状とされた前端面１１Ｂから放射された光は、上下方向でより広い範囲で拡散され、これによって、前端面１１Ｂの前方に配置された透光性の棚前欄干飾り４５は、当該上下方向に拡散された後方からの光によって照明することができる。そのため、棚前端における照明効果を向上させることができる。また、棚前欄干飾り４５に取り付けられた透光性の広告板４６を効果的に後方から光を照射することができるため、当該広告効果を向上させることが可能となる。
【００４０】
尚、本実施例では、棚前欄干飾り４５に透光性の広告板４６を交換可能に取り付けるものとしているが、これに限定されるものではなく、棚前欄干飾り４５に印刷或いはペイントによりＰＯＰを施しても同様に広告効果の向上を図ることができる。
【００４１】
また、係る構造では、照明装置は、棚の前端部ではなく、棚１１の後側に配置することができるため、当該照明装置自体や、その配線等が、棚１１の前側に配置されないため、棚前欄干飾り４５周辺の構造を簡素化することができ、外観の向上を図ることができる。
【００４２】
上記構成において、棚１１の上面１１Ｄには、当該棚１１の前端面１１Ｂより後方に位置して上面に陳列された商品の前方への移動を規制するガイド４７を突設しても良い。若しくは、図８に示すように上記棚１１の上面１１Ｄ上に載置される透光性の板材にて構成された商品載置板５０の前端に上方に突出したガイド５１を形成しても良い。この場合、商品載置板５０は前端が棚１１の前端面１１Ｂより後方となるように棚１１上に載置する。
【００４３】
これにより、棚１１上に陳列された商品が棚前欄干飾り４５まで進出してしまい、当該商品によってＬＥＤ照明装置４０からの光による棚前欄干飾り４５の照明を遮ってしまうことを効果的に防止することができる。
【００４４】
また、上述した如き棚１１は、図５に示すように、前端を中央が前方に突出し、両側部が後退した湾曲形状としても良い。この際、当該棚１１に突設されるガイド４７（又は５１）も当該形状に沿って中央が前方に突出し、両側部が後退した湾曲形状とする。これにより、図８に示すようにガイドに沿って商品Ａを陳列することにより、棚１１の湾曲形状に沿った商品陳列が可能となる。
【００４５】
特に、本実施例では、陳列室３の前面開口を開閉自在に閉塞する扉４に取り付けられた扉装飾カバー３１を棚１１の前端の湾曲形状に対応した平断面湾曲形状とされているため、当該扉装飾カバー３１の平断面湾曲形状によって、陳列室３内に架設された棚１１の前端の湾曲形状をより強調した外観とすることができる。
【００４６】
尚、本実施例におけるショーケースＳは、冷却装置Ｒによって陳列室３内を冷却するものであり、上述したように陳列室３内に架設された棚１１に照明装置を設けているが、当該照明装置は、ＬＥＤ素子４１を採用したものであるため、陳列室３内が低温となっても、蛍光灯のような低温による照度低下を生じないため、効果的な照明を実現することができる。そのため、本発明は、特に、陳列室３内を冷凍などの低温に冷却して使用する低温ショーケースＳにおいて特に有効となる。
【符号の説明】
【００４７】
Ｓ    低温貯蔵庫
Ｒ    冷却装置
１    本体
２    断熱箱体（断熱壁）
３    陳列室
４    扉
８    機械室
１１    棚
１１Ａ  後端面（光入射面）
１１Ｂ  前端面
１１Ｄ  棚上面（及び又は棚下面）
２３    冷却器
３１    扉装飾カバー
３６    支柱
３７    取付具
３８    棚支持枠
４０    ＬＥＤ照明装置
４１    ＬＥＤ素子
４２    基板
４３    ＬＥＤ取付部材
４４    リード線
４５    棚前欄干飾り
４６    広告板（ＰＯＰ）
４７、５１    ガード
５０    商品載置板
【図１】
0005619512.tif 000002
【図２】
0005619512.tif 000003
【図３】
0005619512.tif 000004
【図４】
0005619512.tif 000005
【図５】
0005619512.tif 000006
【図６】
0005619512.tif 000007
【図７】
0005619512.tif 000008
【図８】
0005619512.tif 000009